(57)【要約】【課題】屈伸自在なパネルの長期使用に耐え得る長寿命のヒンジを提供する。【解決手段】パネルの連結端部に固定されるポールの夫々に、薄肉金属製で可撓性を有する２枚以上の帯板を上下で交差する様に掛け渡し、各ポールのパネル固定側の端面に設けた凹部内にポールを緊締する様に帯板を引き込んで固着すると共に、ポールの夫々を各パネルの連結端部に固定することによりパネルを屈伸自在に連結するヒンジにおいて、該ヒンジ２を構成する帯板５、5a…の長手方向を圧延方向Ｄに一致させる。【選択図】図２
2008144463.tif 000002
【特許請求の範囲】
【請求項１】
パネルの連結端部に固定されるポールの夫々に、薄肉金属製で可撓性を有する２枚以上の帯板を上下で交差する様に掛け渡し、各ポールのパネル固定側の端面に設けた凹部内にポールを緊締する様に帯板を引き込んで固着すると共に、ポールの夫々を各パネルの連結端部に固定することによりパネルを屈伸自在に連結するヒンジにおいて、該ヒンジを構成する帯板の長手方向を圧延方向に一致させたことを特徴とする屈伸自在なパネルに用いられるヒンジ。
【請求項２】
ヒンジは、２枚以上の帯板を上下で互い違いなＳ字状に湾曲すると共に、上下の帯板の端部を相互に連結して８字型コイル状に形成し、各ループにポールの夫々を遊挿し、各ポールのパネル固定側端面に設けた凹部内にポールを緊締する様に帯板を引き込んで固着する様に構成されるものにして、ヒンジの展開状態において食い違いに配置される一方の帯板の一端と他方の帯板の他端とは一体的に連続形成され、かかる連続形成部位において形成される内角部を曲率半径の大きい円弧状と成したことを特徴とする請求項１記載の屈伸自在なパネルに用いられるヒンジ。
【発明の詳細な説明】
【技術分野】
【０００１】
本発明は、主に折戸、間仕切開閉壁等を構成する屈伸自在なパネルに用いられるヒンジに関する。
【背景技術】
【０００２】
従来、この種のヒンジとしては、特許文献１、２に開示される様に、パネルの連結端部に固定されるポールの夫々に、薄肉金属製で可撓性を有する２枚以上の帯板を上下で交差する様に掛け渡し、各ポールのパネル固定側の端面に設けた凹部内にポールを緊締する様に帯板を引き込んで固着すると共に、ポールの夫々を各パネルの連結端部に固定することによりパネルを屈伸自在に連結している。
【特許文献１】特開２００１−２６２７４７号公報（図１、２）
【特許文献２】特許３５１３１４４号公報
【発明の開示】
【発明が解決しようとする課題】
【０００３】
しかしながら、上記屈伸自在なパネルはその屈伸動作が長期にわたって繰り返されると、ヒンジにおける帯板に亀裂を生じるなど破損することがある。
ところで、発明者は帯板の幅（短手）方向と圧延方向が一致する場合と、帯板の長手方向と圧延方向が一致する場合とでは、後者の方が大幅に亀裂の発生が低減したことを見出した。
本発明は、かかる知見に基づいてなされたものであり、その目的は、屈伸自在なパネルの長期使用に耐え得る長寿命のヒンジを提供することにある。
【課題を解決するための手段】
【０００４】
その解決手段として、本発明は、パネルの連結端部に固定されるポールの夫々に、薄肉金属製で可撓性を有する２枚以上の帯板を上下で交差する様に掛け渡し、各ポールのパネル固定側の端面に設けた凹部内にポールを緊締する様に帯板を引き込んで固着すると共に、ポールの夫々を各パネルの連結端部に固定することによりパネルを屈伸自在に連結するヒンジにおいて、該ヒンジを構成する帯板の長手方向を圧延方向に一致させたことを特徴とする。
又、２枚以上の帯板を上下で互い違いなＳ字状に湾曲すると共に、上下の帯板の端部を相互に連結して８字型コイル状に形成し、各ループにポールの夫々を遊挿し、各ポールのパネル固定側端面に設けた凹部内にポールを緊締する様に帯板を引き込んで固着する様に構成されるヒンジであって、該ヒンジの展開状態において食い違いに配置される一方の帯板の一端と他方の帯板の他端とは一体的に連続形成したものは、かかる連続形成部位において形成される内角部を曲率半径の大きい円弧状と成すのがより良い。
【発明の効果】
【０００５】
要するに、パネルの連結端部に固定されるポールの夫々に、薄肉金属製で可撓性を有する２枚以上の帯板を上下で交差する様に掛け渡し、各ポールのパネル固定側の端面に設けた凹部内にポールを緊締する様に帯板を引き込んで固着すると共に、ポールの夫々を各パネルの連結端部に固定することによりパネルを屈伸自在に連結するヒンジにあっては、該ヒンジにて連結されたパネルの屈伸動作に応じ、帯板の短手（幅）方向に平行な各所がその表裏に曲がりくねる様に変形するものであり、この様に変形するヒンジにおいて、本発明ではヒンジにおける帯板の長手方向を圧延方向に一致させることにより、帯板の長手（圧延）方向に結晶粒子が並んでその長手方向に直交する様な曲げの強度が向上するため、屈伸自在なパネルの長期使用で上記変形が繰り返される帯板の疲れ強さを、帯板の幅（短手）方向を圧延方向に一致させたヒンジに比し、飛躍的に高めることができ、よって繰り返し使用による帯板の亀裂の発生を大幅に低減でき、屈伸自在なパネルの長期使用に耐え得る長寿命で信頼性の高いヒンジを提供できる。
【０００６】
２枚以上の帯板を上下で互い違いなＳ字状に湾曲すると共に、上下の帯板の端部を相互に連結して８字型コイル状に形成し、各ループにポールの夫々を遊挿し、各ポールのパネル固定側端面に設けた凹部内にポールを緊締する様に帯板を引き込んで固着する様に構成され、展開状態において食い違いに配置される一方の帯板の一端と他方の帯板の他端とは一体的に連続形成されるヒンジであって、該ヒンジにおける帯板の連続形成部位において形成される内角部を曲率半径の大きい円弧状と成すことにより、屈伸自在なパネルの使用によって内角部に発生する応力が局部的に大きくなることがないので、内角部に応力が集中して亀裂を生ずるようなことはない。
しかも、上記と同様に帯板の長手方向を圧延方向に一致させることによって繰り返し使用による帯板の亀裂の発生をも大幅に低減できるため、本発明の様に複数の帯板が上記の如く一体形成されたヒンジにあっても、屈伸自在なパネルの長期使用に耐え得る長寿命で信頼性の高いヒンジを提供できる。
【発明を実施するための最良の形態】
【０００７】
以下本発明の実施の一形態例を図面に基づいて説明する。
図１に、屈伸自在なパネル１、1aの連結部位に用いられるヒンジ２の斜視図を示す。
このヒンジ２は、パネル１、1aの連結端部３、3aに固定されるポール４、4aの夫々に、薄肉金属製で可撓性を有する２枚以上の帯板５、5a…を上下で交差する様に掛け渡し、ポール４、4aのパネル固定側の端面に設けた凹部６、6a内にポール４、4aを緊締する様に帯板５、5a…を引き込んで固着すると共に、ポール４、4aの夫々を各パネル１、1aの連結端部３、3aに固定することによりパネル１、1aを屈伸自在に連結する。
【０００８】
図示例のヒンジ２は、２枚以上の可撓性（図示例では３枚）を有する同一長さの極薄ステンレス製帯板５、5a…を上下で互い違いなＳ字状に湾曲すると共に、上下の帯板５、5a…の端部７、7a、８、8a、９、9aを相互に連結して８字型コイル状に形成している。
図２に示す様に、ヒンジ２は、その展開状態において食い違いに配置される一方の帯板５、5bの一端７、９と他方の帯板5aの他端8aとを一体的に連続形成して、略Ｙ字形状と成したものであり、冷間圧延加工された極薄なステンレス鋼板において、該鋼板の圧延方向Ｄに帯板５、5a…の長手方向を一致させて図２に示す略Ｙ字形状に裁断することで形成される。
圧延鋼板は、これを構成する結晶粒子が圧延方向Ｄに並び、その圧延方向Ｄに直交する曲げ性に優れるため、ヒンジ２（帯板５、5a…）の長手方向を鋼板の圧延方向Ｄに一致させている。
又、ヒンジ２における帯板５、5a…の一端７、９と他端8aとの連続形成部位に形成される内角部Ｒは曲率半径の大きい円弧状と成しており、この様に円弧状の内角部Ｒを形成することで、応力集中が大きく作用する直角状の内角部に比し、応力集中を小さくできる。
【０００９】
そして、ヒンジ２において、帯板５、5bにおける長手方向の一端７、９と、他の帯板5aにおける長手方向の他端8aを交互に連結した部位（上記連続形成部位に相当）をヒンジ２における帯板５、5a…の一方の端部連結部2aと成し、その上下方向には間隔を置いてビス挿通孔10、10ａ…を設けている。
又、展開状態のヒンジ２において、上記端部連結部2aより同一方向に延びる帯板５、5bの上下間隔は、反対方向に延びる帯板5aの幅より若干広く形成し、夫々の帯板５、5a…を上記の様に湾曲させて、帯板５、5a…の開放端（他端）7a、８、9aを剛性を有する一対の縦長矩形状のプレート11、11ａにて挟持すると共に、該プレート11、11ａをビスＰにて接合することにより、上下の帯板５、5a…の開放端7a、８、9aを連結し、ヒンジ２における帯板５、5a…の他方の端部連結部2bと成している。
上記端部連結部2bにおいて、一方（図示例では外側）のプレート11は、上下に長く形成され、その上下端の夫々には、ビス挿通孔12、12ａを設けている。
【００１０】
ヒンジ２において、上下の帯板５、5a…で構成される左右一対のループ13、13ａには、パネル１、1aの連結端部３、3aに固定されるポール４、4aの夫々を遊挿し、該ポール４、4aのパネル固定側端面の上下方向に渡って設けた凹部６、6a内に、帯板５、5a…を引き込んでループ13、13ａがポール４、4aを緊締する様に、ヒンジ２における帯板５、5a…の端部連結部2a、2bを固着している（図５参照）。
ヒンジ２は、ポール４、4aの適所に複数取付けられ、ポール４、4aは、パネル固定側端面を除く側面14、14ａ、15、15ａを湾出形成、即ち、パネル固定側端面の反対側である縦縁14、14ａを半円弧状に形成すると共に、該縦縁14、14ａに連続する側部15、15ａを曲率大なる円弧状に形成している。
凹部６、6a内へのヒンジ２の端部連結部2a、2bの固定にあっては、一方の端部連結部2aは、凹部６の内底と別設のプレート11との間に介装する様にしてビス挿通孔10、10ａ…、12、12ａに通したビスＰにてプレート11を凹部６の内底に接合することで成され、他方の端部連結部2bは、ビス挿通孔12、12ａを通したビスＰにてプレート11を凹部6aの内底に接合することで成される。
【００１１】
ポール４、4aの凹部６、6aにおける左右側壁の端部は、相互に内向するリップ片16、16ａをポール４、4aの上下方向に渡って設け、左右側壁の内面には、リップ片16、16ａと同一長で平行な突片17、17ａを設け、リップ片16、16ａ及び突片17、17ａの先端間隔は、プレート11の幅より若干広く形成している。
ポール４、4aの上下端において、凹部６、6aの内底と突片17、17ａの間には、Ｌ字板状の連結金具18の一方をスライド嵌合すると共に、ビスＰにて凹部６、6aの内底に接合し、連結金具18の他方をパネル１、1a上下端に設けた凹溝19、19ａに嵌合すると共に、ビスＰにて接合することにより、ポール４、4aの夫々をパネル１、1aに一体的に固定し、パネル１、1aを屈伸自在と成している。
又、パネル１、1aの上下端面にはその長さ方向に渡り上枠20、20ａ及び下枠21、21ａを固定している。
尚、ヒンジ２は、帯板５、5a…を一体的に連結したものを示したが、特許文献１に示される様に、別体の２枚以上の帯板５、5a…を上下に交差配置してポール４、4aにたすき掛けする様にして各帯板５、5a…の端部をポール４、4aの凹部６、6a内に固着した（図示せず）ものでも良く、この場合にあっても、帯板５、5a…の長手方向を圧延方向Ｄに一致させている。
【００１２】
次に屈伸自在なパネルの作用について説明する。
ヒンジ２のループ13、13ａ内に配したポール４、4aは、そのパネル固定側端面の凹部６、6aにヒンジ２の端部連結部2a、2bが固着されることにより、ループ13、13ａで緊締支持され、ポール４、4aは、常にその一部が外接した状態で相互に回転する。
ポール４、4aの外接部位は、ヒンジ２における上下の帯板５、5a…の交差部位Ｘに対応し、該交差部位Ｘは、ポール４、4aの回転に応じて帯板５、5a…の幅（短手）方向に平行な各所、即ち帯板５、5a…の長手方向に直交する各所が、その表裏に曲がりくねる様に変形することで変位する（図５、６参照）。
従って、ポール４、4aは、交差部位Ｘを通る直線について常に対称な位置にある様に、相互に回転する。
この様に、ヒンジ２に連結されたポール４、4aを連結端部３、3aに一体的に固定して屈伸自在なパネル１、1aが構成される。
【００１３】
ヒンジ２は、その長手方向を圧延方向Ｄに一致させることで、その長手方向Ｄに直交する曲げの強度が向上するため、上記（帯板５、5a…の長手方向に直交する各所がその表裏に曲がりくねる）変形が長期に渡って繰り返される帯板５、5a…の疲れ強さを、帯板５、5a…の幅（短手）方向を圧延方向Ｄに一致させた場合に比し、飛躍的に高めることができる。
又、ヒンジ２における帯板５、5a…の一端７、９と他端8aとの連続形成部位（端部連結部）2aに形成される内角部Ｒは曲率半径の大きい円弧状と成しているので、パネル１、1aの使用によって内角部Ｒに発生する応力が局部的に大きくなることがないので、内角部Ｒに応力が集中して亀裂を生ずるようなこともない。
【００１４】
そして、ポール４、4aは、ヒンジ２のループ13、13ａで上記の様に緊締され、常に隙間なく外接しているため、ポール４、4a間に指を詰める心配がなく安全であり、又パネル固定側端面を除く側面14、14ａ、15、15ａが湾出形成されているので、ヒンジ２を構成する帯板５、5a…をポール４、4aの側面14、14ａ、15、15ａに隙間無く密着させられ、ポール４、4aと帯板５、5a…間に着衣やその他の物が不用意に挟まったり、引っ掛かったりすることがない。
【００１５】
上記構成のパネル１、1aは、用途に応じてパネル１、1aの連結枚数を変更し、例えば図７、８に示す様な折戸22、２枚以上のパネル１、1aを複数組連結してジグザグに折り畳められる様に構成した間仕切開閉壁（図示せず）、高さが同一又は異なるパネル１、1aを適宜に組み合わせ、室内を自在な形の境界で以て区割りできるパーティション（図示せず）等として利用する。
【図面の簡単な説明】
【００１６】
【図１】ヒンジとポールの一部を示す斜視図である。
【図２】ヒンジの展開図である。
【図３】パネルの連結状態を示す要部拡大正面図である。
【図４】図３の断面図である。
【図５】ポールの連結状態を示す断面図である。
【図６】ポールの回転状態を示す断面図である。
【図７】屈伸自在なパネルの一使用例である折戸の正面図である。
【図８】折戸の使用状態の一例を示す平面図である。
【符号の説明】
【００１７】
１、1a    パネル
２        ヒンジ
2a        連続形成部位
３、3a    連結端部
４、4a    ポール
５、5a…  帯板
６、6a    凹部
７、7a    端部
８、8a    端部
９、9a    端部
13、13ａ  ループ
Ｄ        圧延方向
Ｒ        内角部
【図１】
2008144463.tif 000003
【図２】
2008144463.tif 000004
【図３】
2008144463.tif 000005
【図４】
2008144463.tif 000006
【図５】
2008144463.tif 000007
【図６】
2008144463.tif 000008
【図７】
2008144463.tif 000009
【図８】
2008144463.tif 000010